(57)【要約】      （修正有）【課題】受信機構成を感知器や制御機器を監視制御する端末監視制御装置と表示操作を行う受信機に分けてインターネット上のサーバの制御処理により連携させた場合の感知器試験を点検員１名で効率良く進めることを可能とする。【解決手段】監視対象施設１１において、アナログ感知器16からの火災信号は端末監視制御装置10で受信され、インターネット22を介してサーバ24に送信され、サーバ24から火災警報信号を受信機12に送信して火災警報を出力させる。試験治具28によりアナログ感知器16の発報試験を行う場合、点検員26は携帯端末30の操作により試験対象とする感知器を選択して試験感知器通知信号をサーバ24に送信し、試験モードを設定させる。サーバ24は、試験モードが設定された感知器からの火災信号の受信を判別した場合、試験発報受信信号を携帯端末30に送信して試験発報の受信結果を報知させる。【選択図】図１
2018112951.tif 000002
【特許請求の範囲】
【請求項１】
ネットワークを介して端末監視制御装置と受信機がサーバに接続され、
前記端末監視制御装置は、警戒区域に引き出された回線に接続された火災感知器からの火災信号を受信した場合に、前記ネットワークを介して前記火災信号を前記サーバに送信し、
前記サーバは、前記ネットワークを介して前記端末監視制御装置から送信された火災信号を受信して所定の火災受信処理を行い、当該処理結果に基づき火災警報信号を、前記ネットワークを介して前記受信機に送信して火災警報を出力させる火災報知システムに於いて、
試験治具を用いて前記火災感知器の発報試験を行う点検員に携帯される携帯端末が前記ネットワークを経由して前記サーバに接続され、
前記携帯端末は、前記点検員の操作に基づき試験対象とする火災感知器を示す試験感知器通知信号を前記サーバに送信して試験モードを設定させ、
前記サーバは、前記端末監視制御装置から受信した火災信号が前記試験モードに設定された火災感知器からの火災信号であることを判別した場合に、所定の試験発報受信処理を行って試験発報受信信号を前記携帯端末に送信して試験発報の受信結果を報知させることを特徴とする火災報知システム。
【請求項２】
請求項１記載の火災報知システムに於いて、前記携帯端末は、試験対象として選択された１又は複数の感知器アドレスを前記試験感知器通知信号に設定して前記サーバに送信することを特徴とする火災報知システム。
【請求項３】
請求項１記載の火災報知システムに於いて、前記サーバは、前記試験発報受信処理を行った場合に、前記試験発報受信信号を前記受信機に送信して試験発報による火災受信を報知させることを特徴とする火災報知システム。
【請求項４】
請求項１記載の火災報知システムに於いて、前記サーバは、前記端末監視制御装置から受信した火災信号が前記試験モードに設定されていない火災感知器からの火災信号であることを判別した場合に、前記火災受信処理を行って前記火災警報信号を前記受信機及び前記携帯端末に送信して火災警報を出力させることを特徴とする火災報知システム。
【請求項５】
請求項１記載の火災報知システムに於いて、
前記ネットワークはインターネットであり、前記端末監視制御装置及び前記受信機は、ゲートウェイ装置を介して前記インターネットに接続され、
前記携帯端末は無線ネットワークを経由して前記インターネットに接続されたことを特徴とする火災報知システム。
【請求項６】
請求項５記載の火災報知システムに於いて、前記携帯端末は、携帯電話端末による近距離無線ネットワークを介して前記インターネットに接続されたことを特徴とする火災報知システム。
【請求項７】
請求項１記載の火災報知システムに於いて、
前記携帯端末は、
所定のユーザＩＤとパスワードを用いて前記サーバにログインして、試験操作画面を取得し、
前記試験操作画面上に表示された火災感知器一覧の中から試験対象とする１又は複数の火災感知器を選択することにより前記試験感知器通知信号を前記サーバに送信し、
前記サーバから前記試験発報受信信号を受信した場合に、火災発報した感知器情報を試験発報受信画面に表示させることを特徴とする火災報知システム。
【請求項８】
請求項７記載の火災報知システムに於いて、前記携帯端末は、前記サーバから前記試験発報受信信号を受信した場合に、前記試験操作画面上の火災感知器一覧に試験結果を表示させることを特徴とする火災報知システム。
【請求項９】
請求項８記載の火災報知システムに於いて、前記携帯端末は、前記火災感知器一覧として、感知器アドレスの一覧、感知器設置場所の一覧、又は感知器設置区域の地図の何れかを選択表示可能としたことを特徴とする火災報知システム。
【請求項１０】
請求項１記載の火災報知システムに於いて、
前記火災感知器は、火災を検出した場合に固有のアドレスが設定された火災信号を送信し、
前記端末監視制御装置は、前記アドレスが設定された火災信号を前記サーバに送信し、
前記サーバは、前記火災信号に設定されたアドレスに基づいて火災発生場所を示す火災地区情報が設定された火災警報信号を生成して前記受信機に送信し、
前記受信機は前記サーバから受信した前記火災警報信号に設定された前記火災地区情報を表示させることを特徴とする火災報知システム。
【請求項１１】
請求項１記載の火災報知システムに於いて、
前記火災感知器は、火災を検出した場合に前記回線に所定の発報電流を流し、
前記端末監視制御装置は、前記発報電流が流れた回線を示す発報回線情報が設定された火災信号を前記サーバに送信し、
前記サーバは、前記火災信号に設定された前記発報回線情報に基づいて火災発生場所を示す火災地区情報が設定された火災警報信号を前記受信機に送信し、
前記受信機は前記サーバから受信した前記火災警報信号に設定された前記火災地区情報を表示させることを特徴とする火災報知システム。
【発明の詳細な説明】
【技術分野】
【０００１】
本発明は、インターネット上のサーバとの連携により火災を検出して警報する火災報知システムに関する。
【背景技術】
【０００２】
従来、火災を監視する火災報知システムの受信機は建物内の防災センターや管理室などに設置されており、受信機から警戒区域に引き出された感知器回線に接続された例えば火災感知器や発信機からの火災信号を受信することで、火災代表表示を行うと共に主音響を鳴動させ、また受信機から引き出された制御回線に接続された地区音響装置を鳴動させ、更に、制御回線に接続された防火戸や防火シャッター等の連動制御を行う。
【０００３】
このような火災報知システムの受信機にあっては、受信機に接続される火災感知器のアドレス、地区名、部署名、種別、回線番号、感度、蓄積時間、防排煙機器との連動関係等の所謂物件データを準備し、受信機に設けたＥＥＰＲＯＭ等の不揮発メモリに記憶して火災受信制御に利用している。
【先行技術文献】
【特許文献】
【０００４】
【特許文献１】特開２０１１−１８９０５５号公報
【特許文献２】特開２００９−０８７１１１号公報
【特許文献３】実用新案登録第３１３６３６３号公報
【発明の概要】
【発明が解決しようとする課題】
【０００５】
しかしながら、このような従来の火災報知システムにあっては、受信機から引き出された回線に火災感知器や制御機器を接続しており、また、受信機に、警報部、操作部、表示部、プリンタ等の火災監視に必要な全ての操作表示機能を設けており、受信機の構成が複雑となり、また、監視対象となる施設の規模が大きくなると、受信機から引き出される回線ケーブルの本数が増加し、受信機の製造及び設置が煩雑になる問題がある。
【０００６】
また、火災報知システムの運用中に、施設の改修やテナントの入れ替わり等に伴い物件データを変更する必要があるが、従来は受信機の設置場所に出向いて物件データを更新する必要があり、手間と時間がかかる問題もある。
【０００７】
更に、火災報知システムによっては、受信機に副表示盤等を接続して別の場所で受信機による火災警報表示を見たい場合があるが、受信機から離れた場所の副表示盤にケーブルを引いて接続する必要があり、設置工事に手間と時間がかかるといった問題もある。
【０００８】
この問題を解決するため、本願出願人にあっては、受信機構成を感知器や制御機器を監視制御する端末監視制御装置と、表示操作を行う受信機に分け、両者をインターネット上のサーバの制御処理により結びつけることで、システム構成を簡単にして、製造、設置、及び運用管理を容易にする火災報知システムを提案している。
【０００９】
ところで、火災報知システムにあっては、年一回の定期点検が義務付けられており、定期点検の際には、点検員が試験治具を用いて火災感知器に煙や熱を加えて発報させ、正常に火災感知器が動作することを確認する感知器試験を行っている。
【００１０】
このため端末監視制御装置と受信機をサーバを介して連携させた火災報知システムにあっても、定期点検の際には、試験治具を用いた感知器試験を行う必要がある。この場合、点検員による感知器試験の結果を確認するため、受信機側に１人、また、必要に応じてサーバ側にも１人付く必要があるが、これでは点検に必要な人員が増加し、相互に連絡を取り合いながら感知器試験を進める必要があることから、手間と時間がかかり、効率良く感知器試験を進めていくことができない問題がある。
【００１１】
本発明は、受信機構成を感知器や制御機器を監視制御する端末監視制御装置と表示操作を行う受信機に分けてインターネット上のサーバの制御処理により連携させた場合の感知器試験を点検員１名で効率良く進めることを可能とする火災報知システムを提供することを目的とする。
【課題を解決するための手段】
【００１２】
（火災報知システム）
本発明は、
ネットワークを介して端末監視制御装置と受信機がサーバに接続され、
端末監視制御装置は、警戒区域に引き出された回線に接続された火災感知器からの火災信号を受信した場合に、ネットワークを介して火災信号をサーバに送信し、
サーバは、ネットワークを介して端末監視制御装置から送信された火災信号を受信して所定の火災受信処理を行い、当該処理結果に基づき火災警報信号を、ネットワークを介して受信機に送信して火災警報を出力させる火災報知システムに於いて、
試験治具を用いて火災感知器の発報試験を行う点検員に携帯される携帯端末がネットワークを経由してサーバに接続され、
携帯端末は、点検員の操作に基づき試験対象とする火災感知器を示す試験感知器通知信号をサーバに送信して試験モードを設定させ、
サーバは、端末監視制御装置から受信した火災信号が試験モードに設定された火災感知器からの火災信号であることを判別した場合に、所定の試験発報受信処理を行って、試験発報受信信号を携帯端末に送信して試験発報の受信結果を報知させることを特徴とする。
【００１３】
（試験感知器通知）
携帯端末は、試験対象として選択された１又は複数の感知器アドレスを試験感知器通知信号に設定してサーバに送信する。
【００１４】
（受信機による試験発報受信の報知）
サーバは、試験発報受信処理を行った場合に、試験発報受信信号を受信機に送信して試験発報による火災受信を報知させる火災受信を報知させる。
【００１５】
（感知器試験中の真火災）
サーバは、端末監視制御装置から受信した火災信号が試験モードに設定されていない火災感知器からの火災信号であることを判別した場合に、火災受信処理を行って、火災警報信号を受信機及び携帯端末に送信して火災警報を出力させる。
【００１６】
（インターネットとゲートウェイ）
ネットワークはインターネットであり、端末監視制御装置及び受信機は、ゲートウェイ装置を介してインターネットに接続され、
携帯端末は無線ネットワークを経由してインターネットに接続される。
【００１７】
（携帯電話端末のテザリング機能）
携帯端末は、携帯電話端末による近距離無線ネットワークを介してインターネットに接続される。
【００１８】
（携帯端末の試験操作画面）
携帯端末は、
所定のユーザＩＤとパスワードを用いてサーバにログインして、試験操作画面を取得し、
試験操作画面上に表示された火災感知器一覧の中から試験対象とする１又は複数の火災感知器を選択することにより試験感知器通知信号をサーバに送信し、
サーバから試験発報受信信号を受信した場合に、火災発報した感知器情報を試験発報受信画面に表示させる。
【００１９】
（火災感知器一覧での試験結果の表示）
携帯端末は、サーバから前記試験発報受信信号を受信した場合に、試験操作画面上の火災感知器一覧に試験結果を表示させる。
【００２０】
（火災感知器一覧）
携帯端末は、火災感知器一覧として、感知器アドレスの一覧、感知器設置場所の一覧、又は感知器設置区域の地図の何れかを選択表示可能とする。
【００２１】
（Ｒ型火災感知器の火災信号）
火災感知器は、火災を検出した場合に固有のアドレスが設定された火災信号を送信し、
端末監視制御装置は、アドレスが設定された火災信号をサーバに送信し、
サーバは、火災信号に設定されたアドレスに基づいて火災発生場所を示す火災地区情報が設定された火災警報信号を生成して受信機に送信し、
受信機はサーバから受信した火災警報信号に設定された火災地区情報を表示させる。
【００２２】
（Ｐ型感知器の火災信号）
火災感知器は、火災を検出した場合に回線に所定の発報電流を流し、
端末監視制御装置は、発報電流が流れた回線を示す発報回線情報が設定された火災信号をサーバに送信し、
サーバは、火災信号に設定された発報回線情報に基づいて火災発生場所を示す火災地区情報が設定された火災警報信号を受信機に送信し、
受信機はサーバから受信した火災警報信号に設定された火災地区情報を表示させる。
【発明の効果】
【００２３】
（基本的な効果）
本発明は、ネットワークを介して端末監視制御装置と受信機がサーバに接続され、端末監視制御装置は、警戒区域に引き出された回線に接続された火災感知器からの火災信号を受信した場合に、ネットワークを介して火災信号をサーバに送信し、サーバは、ネットワークを介して端末監視制御装置から送信された火災信号を受信して所定の火災受信処理を行い、当該処理結果に基づき火災警報信号を、ネットワークを介して受信機に送信して火災警報を出力させる火災報知システムに於いて、試験治具を用いて火災感知器の発報試験を行う点検員に携帯される携帯端末がネットワークを経由してサーバに接続され、携帯端末は、点検員の操作に基づき試験対象とする火災感知器を示す試験感知器通知信号をサーバに送信して試験モードを設定させ、サーバは、端末監視制御装置から受信した火災信号が試験モードに設定された火災感知器からの火災信号であることを判別した場合に、所定の試験発報受信処理を行って、試験発報受信信号を携帯端末に送信して試験発報の受信結果を報知させるようにしたため、点検員は感知器発報試験に先立ち、携帯端末の操作により試験対象とする火災感知器を選択すると、これがサーバに通知されて、選択された感知器に対し試験モードが設定され、続いて試験治具を用いて感知器の発報試験を行うと火災信号がサーバに送信され、サーバは試験モードが設定されている感知器からの火災信号であることを判別して携帯端末に試験発報の結果が表示され、これによりサーバ及び受信機側に点検員が付く必要が無くなり、試験治具を用いて感知器試験を行う点検員１名のみで、感知器発報試験を効率よく進めることができる。
【００２４】
（試験感知器通知による効果）
また、携帯端末は、試験対象として選択された１又は複数の感知器アドレスを試験感知器通知信号に設定してサーバに送信することにより、点検員は感知器を１台ずつ選択しながら発報試験を行うこともできるし、例えば、同じフロアに設置されている複数の感知器を一括選択して発報試験を行うこともできる。
【００２５】
また、試験対象とする感知器を１台ずつ選択する場合には、試験対象に選択されていない感知器は正常に火災を監視しており、感知器試験による火災監視機能の制約を必要最小限に留めることを可能とする。
【００２６】
（受信機による試験発報受信による効果）
また、サーバは、試験発報受信処理を行った場合に、試験発報受信信号を受信機に送信して試験発報による火災受信を報知させる火災受信を報知させるようにしたため、受信機においても、必要があれば、感知器試験の様子が確認可能となる。
【００２７】
（感知器試験中の真火災）
また、サーバは、端末監視制御装置から受信した火災信号が試験モードに設定されていない火災感知器からの火災信号であることを判別した場合に、火災受信処理を行って、火災警報信号を受信機及び携帯端末に送信して火災警報を出力させるようにしたため、感知器試験中に実火災が発生して感知器から火災信号が送信された場合には、感知器試験に影響されることなく、受信機から火災警報が出力され、また、点検員が保有している携帯端末からも火災警報が出力され、感知器試験中の実火災に対し迅速且つ適切に対処可能とする。
【００２８】
（インターネットとゲートウェイによる効果）
また、ネットワークはインターネットであり、端末監視制御装置及び受信機は、ゲートウェイ装置を介してインターネットに接続され、携帯端末は無線ネットワークを経由してインターネットに接続されるため、既存のインターネットに対する通信機器やネットワークを利用して簡単にサーバとの通信接続を確立することができ、また、地震等の災害により監視対象施設が被害を受けて例えば端末監視制御装置に接続している一部の回線が切れたような場合にも、サーバとの通信接続が確保されている限り、火災報知システムとしての火災監視機能は維持することができ、災害等のトラブル発生に強い信頼性の高いシステムが構築可能となる。
【００２９】
また、点検員が携帯する携帯端末は、無線ネットワークを介してインターネット上のサーバに接続されるため、点検員の行動が制約されず、効率良く感知器試験の作業をすすめることを可能とする。
【００３０】
（携帯電話端末のテザリング機能による効果）
また、携帯端末は、携帯電話端末による近距離無線ネットワークを介してインターネットに接続されるようにしたため、これはスマートホン等の携帯電話端末が無線ＬＡＮネットワークのアクセスポイントとして機能する所謂テザリング機能を用いた携帯端末の通信であり、携帯電話端末のサービスエリアは、全国津々浦々まで行き届いていることから、火災報知システムを設置した施設は全て携帯電話端末のサービスエリアに存在しており、火災報知システムを設置した対象施設の設置地域に制約されることなく、携帯端末を利用した点検員１名による感知器発報試験を効率良く進めることを可能とする。
【００３１】
（携帯端末の試験操作画面による効果）
また、携帯端末は、所定のユーザＩＤとパスワードを用いてサーバにログインして、試験操作画面を取得し、試験操作画面上に表示された火災感知器一覧の中から試験対象とする１又は複数の火災感知器を選択することにより試験感知器通知信号をサーバに送信し、サーバから試験発報受信信号を受信した場合に、火災発報した感知器情報を試験発報受信画面に表示するようにしたため、例えばサーバにより提供される感知器試験のホームページを点検員が携帯端末にダウンロードして試験操作画面を表示させ、この試験表示画面を利用して試験対象感知器の選択や試験結果の表示が行われることで、サーバからの支援を受けて点検員は効率良く感知器試験の作業を進めることができる。
【００３２】
（火災感知器一覧での試験結果の表示による効果）
また、携帯端末は、サーバから前記試験発報受信信号を受信した場合に、試験操作画面上の火災感知器一覧に試験結果を表示させることで、複数の火災感知器を順次試験していく場合に、試験の済んだ火災感知器の状況を一覧表示から簡単且つ容易に把握可能とする。
【００３３】
（火災感知器一覧による効果）
また、携帯端末は、火災感知器一覧として、感知器アドレスの一覧、感知器設置場所の一覧、又は感知器設置区域の地図の何れかを選択表示可能としたため、点検員は感知器発報試験を始める施設の場所に対応して、簡単且つ容易に、試験対象とする感知器を選択して感知器発報試験を行うことができる。
【００３４】
また、複数の点検員がそれぞれ携帯端末を携帯して火災報知システムの別々の警戒区域に分かれ、並行して感知器試験を進めることも可能であり、高層のオフィスビル等の規模の大きな火災報知システムであっても、感知器試験作業を効率良く進めて短時間で必要な作業を終了することが可能となる。
【００３５】
（Ｒ型火災感知器の火災信号による効果）
また、火災感知器は、火災を検出した場合に固有のアドレスが設定された火災信号を送信し、端末監視制御装置は、アドレスが設定された火災信号をサーバに送信し、サーバは、火災信号に設定されたアドレスに基づいて火災発生場所を示す火災地区情報が設定された火災警報信号を生成して受信機に送信し、受信機はサーバから受信した火災警報信号に設定された火災地区情報を表示させるようにしたため、ネットワークを介して端末監視制御装置と受信機がサーバに接続された火災報知システムについて、従来のＲ型火災報知システムの火災監視機能と同等な動作を可能となり、また、感知器発報試験による点検作業も、点検員１名により効率良く進めることを可能とする。
【００３６】
（Ｐ型感知器の火災信号）
また、火災感知器は、火災を検出した場合に回線に所定の発報電流を流し、端末監視制御装置は、発報電流が流れた回線を示す発報回線情報が設定された火災信号をサーバに送信し、サーバは、火災信号に設定された発報回線情報に基づいて火災発生場所を示す火災地区情報が設定された火災警報信号を受信機に送信し、受信機はサーバから受信した火災警報信号に設定された火災地区情報を表示させるようにしたため、ネットワークを介して端末監視制御装置と受信機がサーバに接続された火災報知システムについて、従来のＰ型火災報知システムの火災監視機能と同等な動作を可能となり、また、感知器発報試験による点検作業も、点検員１名により効率良く進めることを可能とする。
【図面の簡単な説明】
【００３７】
【図１】Ｒ型の火災報知システムと感知器試験の概要を示した説明図
【図２】図１の端末監視制御装置、受信機及びサーバの機能構成を示したブロック図
【図３】携帯端末のログイン画面を示した説明図
【図４】携帯端末のメニュー画面を示した説明図
【図５】携帯端末の感知器試験管理画面を示した説明図
【図６】携帯端末の感知器選択画面を示した説明図
【図７】携帯端末の火災警報画面を示した説明図
【図８】携帯端末の試験発報受信画面を示した説明図
【図９】火災報知システムの感知器試験に伴う動作を示したタイムチャート
【図１０】Ｐ型の火災報知システムと感知器試験の概要を示した説明図
【図１１】図１０の端末監視制御装置、受信機およびサーバの機能構成を示したブロック図
【発明を実施するための形態】
【００３８】
［火災報知システム］
（火災報知システムの概要）
図１はＲ型の火災報知システムと感知器発報試験の概要を示した説明図である。図１に示すように、本実施形態の火災報知システムは、インターネット２２に対し端末監視制御装置１０がゲートウェイ装置１８を介して接続され、また、受信機１２がゲートウェイ装置２０を介して接続され、これにより端末監視制御装置１０と受信機１２がインターネット２２を介してサーバ２４と通信可能に接続されている。
【００３９】
ゲートウェイ装置１８，２０は、端末監視制御装置１０及び受信機１２側のＴＣＰ信号（トランスミッション・コントロール・プロトコル信号）とインターネット２２側のＩＰ信号（インターネット・プロトコル信号）とのプロトコル変換を行っている。
【００４０】
端末監視制御装置１０及び受信機１２はオフィスビル等の監視対象施設１１に設置され、サーバ２４は製造メーカや保守管理会社等の別の場所に設置される。
【００４１】
端末監視制御装置１０からは警戒区域に伝送路１４が引き出され、本実施形態にあっては、伝送路１４にセンサ系として、アナログ感知器１６が接続される。
【００４２】
なお、端末監視制御装置１０から引き出された伝送路１６には、伝送機能を備えた中継器を介して制御負荷となる端末機器として、地区音響装置、防火戸及び防火ダンパ等の防排煙機器が接続されるが、図示を省略している。
【００４３】
伝送路１４に接続されたアナログ感知器１６には固有のアドレスが予め設定されており、伝送路１４当りの最大アドレスは例えば５１２アドレスであり、端末監視制御装置１０を含めて５１２台の機器の接続を可能としている。
【００４４】
端末監視制御装置１０はアナログ感知器１６の火災発報（火災検出）より送信されたアドレスが設定された火災信号を受信した場合、サーバ２４を宛先とするアナログ感知器１６のアドレスが設定された火災信号をゲートウェイ装置１８からインターネット２２を経由してサーバ２４へ送信する。
【００４５】
サーバ２４は端末監視制御装置１０からの火災信号を受信すると、火災信号に設定されているアドレスから予め記憶している物件データを参照して火災発生場所を示す火災地区情報を取得し、この火災地区情報が設定された火災警報信号をインターネット２２及びゲートウェイ装置２０を経由して受信機１２へ送信する。サーバ２４からの火災警報信号を受信した受信機１２は、火災発生場所を示す地区表示を伴う火災警報を出力する。
【００４６】
また、サーバ２４は、端末監視制御装置１０からの火災信号を受信すると、火災発生場所を示す火災地区情報に対応した地区音響装置のアドレスが設定された地区音響制御信号をインターネット２２及びゲートウェイ装置１８を経由して端末監視制御装置１０に送り、端末監視制御装置１０から伝送路１４に、受信したアドレスが設定された地区音響制御信号が送信され、アドレスが一致した中継器に接続している地区音響装置を鳴動させる。
【００４７】
（点検システム）
このような火災報知システムの定期点検の際に、アナログ感知器１６の発報試験を行う場合、点検員２６は試験治具２８と携帯端末３０を携帯してアナログ感知器１６の点検作業を行う。試験治具２８はアナログ感知器１６が散乱光式煙感知器の場合は試験用の煙を発煙し、また、熱感知器の場合はヒータにより加熱を行う。
【００４８】
携帯端末３０は、所定の無線ＬＡＮ等の近距離無線通信機能を備えたタブレット端末等であり、点検員２６が保有しているスマートホン等の携帯電話端末３２のテザリング機能を利用することで、携帯電話端末３２から基地局３６を備えた携帯電話ネットワーク３４及びインターネット２２を経由してサーバ２４に通信接続可能としている。
【００４９】
携帯電話端末３２のテザリング機能は、無線ＬＡＮネットワークのアクセスポイントに相当する機能であり、イーサネット（登録商標）による無線ネットワークをベースにしたＩＥＥＥ８０２．１１に準拠した無線通信を行い、携帯端末３０との間に無線ＬＡＮ回線を確立してデータ伝送を行う。
【００５０】
このように携帯電話端末３２のテザリング機能を利用して携帯端末３０をインターネット２４上のサーバ２４と通信接続することで、例えば、無線ＬＡＮネットワークのサービスエリアに入っていない監視対象施設１１であっても、携帯電話ネットワーク３４のサービスエリアに入っていれば、確実にインターネット２２上のサーバ２４のと間に通信接続を確立して感知器発報試験に利用できる。
【００５１】
（感知器発報試験の概要）
点検員２６による感知器発報試験は次のようにして行われる。点検員２６はアナログ感知器１６の設置場所に出向き、まず携帯端末３０を使用してサーバ２４にログインし、サーバ２４から所定の試験操作画面を取得する。
【００５２】
続いて、携帯端末３０の試験操作画面を操作して表示した例えば感知器アドレス一覧の中から試験対象とする１又は複数の火災感知器を選択すると、感知器アドレスが設定された試験感知器通知信号がサーバ２４に送信され、サーバ２４は試験対象としたアナログ感知器１６に対し試験モードを設定する。
【００５３】
続いて、点検員２６は試験治具２８により試験対象としたアナログ感知器１６に例えば試験煙を流入させることで試験発報させる。試験治具２８により試験発報されたアナログ感知器１６は感知アドレスが設定された火災信号を端末監視制御装置１０に送信し、端末監視制御装置１０はその火災信号をゲートウェイ装置１８からインターネット２２を経由してサーバ２４に送信する。
【００５４】
サーバ２４は端末監視制御装置１０からの火災信号を受信すると、火災信号に設定されている感知器アドレスを試験モードが設定されている感知器アドレスと比較し、試験モードが設定された感知器アドレスに該当した場合は、試験発報受信信号を携帯端末３０に送信し、感知器アドレスや地区情報を含む試験発報受信画面を表示させる。これにより点検員２６はアナログ感知器１６の試験発報が正常に行われたことを確認できる。
【００５５】
［火災報知システムの機能構成］
（端末監視制御装置）
図２は図１の端末監視制御装置、受信機およびサーバの機能構成を示したブロック図である。
【００５６】
図２に示すように、端末監視制御装置１０は、端末制御部３８、伝送部４０、通信部４２を備える。端末制御部３８は、ＣＰＵ、メモリ、各種の入出力ポートを備えたコンピュータ回路で構成されており、プログラムの実行により伝送部４０と連携して感知器や制御機器との間で所謂火報伝送プロトコルに従った伝送制御を行う。
【００５７】
伝送部４０からアナログ感知器１６に対する下り信号は電圧モードの伝送であり、伝送路１４の電圧を例えば１８ボルトと３０ボルトの間で変化させる電圧パルスとして伝送される。これに対しアナログ感知器１６からの上り信号は電流モードの伝送であり、伝送路１４に伝送データのビット１のタイミングで信号電流を流し、いわゆる電流パルス列として上り信号が伝送部４０に伝送される。
【００５８】
端末制御部３８による火災伝送プロトコルによる伝送制御は次のようになる。端末制御部３８は、通常監視中には、端末アドレスを順次指定した正常監視用のポーリングコマンドを送信しており、アナログ感知器１６は自己の設定アドレスに一致するポーリングコマンドを受信すると正常監視応答を行う。このため端末制御部３８にあっては、ポーリングコマンドに対し応答がなかったアナログ感知器１６を障害として故障を検出することができる。
【００５９】
また端末制御部３８は、全ての端末アドレスに対するポーリングコマンドの送信周期ごとに、一括ＡＤ変換コマンドを送信している。アナログ感知器１６は端末制御部３８からの一括ＡＤ変換コマンドを受信すると、検出している煙濃度や温度などのアナログ検出データをサンプリングし、予め定めた火災レベルと比較している。
【００６０】
アナログ感知器１６でサンプリングしたアナログ検出データが火災レベルを超えた場合には、端末制御部３８に対しポーリングコマンドに対する応答タイミングで割込信号を送信する。この割込信号は、応答ビット列をオール１とするような通常は使用されない信号を送る。
【００６１】
端末制御部３８は、アナログ感知器１６からの割込信号を受信すると、グループ検索コマンドを発行し、火災を検出したアナログ感知器１６を含むグループからの割込応答を受信してグループを判別する。続いて、グループ内検索コマンドとして、判別したグループに含まれる個々のアナログ感知器１６に対し、順次アドレスを指定したポーリングを発行し、アナログデータ等の火災応答を受けることで、火災を検出したアナログ感知器１６の感知器アドレスを認識し、この感知器アドレスが設定された火災信号を通信部４２に指示し、ゲートウェイ装置１８及びインターネット２２を経由してサーバ２４へ送信させる。
【００６２】
また、端末制御部３８は、地区音響装置、防火戸及び防排煙機器等の制御機器に対しては、サーバ２４から受信した制御信号に設定されたアドレスを指定した制御信号を伝送路１４に送信し、自身のアドレスと一致した中継器に接続されている端末機器を動作させる。
【００６３】
（受信機）
図２に示すように、受信機１２は、受信機制御部４４、通信部４６、警報部４８、表示部５０、操作部５２を備える。受信機制御部４４は、ＣＰＵ、メモリ、各種の入出力ポートを備えたコンピュータ回路で構成しており、プログラムの実行により火災監視に必要な警報、表示、操作に伴う制御を、通信部４６と連携して行う。
【００６４】
警報部４８にはスピーカが設けられ、火災警報としての音響警報や音声メッセージを出力させる。表示部５０には、火災代表灯、障害代表灯等が設けられ、また、タッチパネル付きのディスプレイが設けられ、更に、プリンタが設けられている。
【００６５】
操作部５２には、火災警報音が出力された場合に操作する音響停止スイッチ、火災断定スイッチ、地区音響一時停止スイッチ、復旧スイッチ等の各種の操作スイッチが設けられている。通信部４６はゲートウェイ装置２０及びインターネット２２を経由してサーバ２４に通信接続され、各種の信号の送受信を行う。
【００６６】
受信機制御部４４は、サーバ２４から火災地区情報が設定された火災警報信号を受信した場合、警報部４８のスピーカの鳴動により音響警報を出力させると共に、表示部５０の代表火災灯を点滅させ、更に、ディスプレイに火災警報情報と共に火災発生場所を示す火災地区情報を表示させる制御を行う。
【００６７】
また、受信機制御部４４は、火災警報の出力中に、操作部５２に設けられた音響停止スイッチの操作を検出した場合に、警報部４８からの音響警報を停止させる制御を行う。
【００６８】
また、受信機制御部４４は、火災警報の出力中に、操作部５２に設けられた火災断定スイッチの火災断定操作を検出した場合は、通信部４６に指示して、火災断定信号をサーバ２４へ送信させる制御を行い、サーバ２４からの端末監視制御装置１０に対する指示で、連動制御や移報制御を行わせる。
【００６９】
また、受信機制御部４４は、火災警報の出力中に、操作部５２に設けられた地区音響一時停止スイッチの操作を検出した場合は、通信部４６に指示して、地区音響一時停止信号をサーバ２４へ送信させる制御を行い、サーバ２４からの端末監視制御装置１０に対する指示で、地区音響を一時停止させる。
【００７０】
また、受信機制御部４４は、火災警報の出力中に、操作部５２に設けられた復旧スイッチの操作を検出した場合は、通信部４６に指示して、復旧信号をサーバ２４へ送信させる制御を行い、サーバ２４を復旧させると共にサーバ２４からの端末監視制御装置１０に対する指示で、動作中の感知器や端末機器を復旧させる。
【００７１】
更に、受信機制御部４４は、サーバ２４から試験発報受信信号を受信した場合、表示部５０の代表火災灯を点滅させ、また、ディスプレイに地区情報を含め試験発報受信画面を表示させる制御を行い、この場合、警報部４８からの音響警報の出力、連動制御、及び移報制御は行われない。
【００７２】
（サーバ）
図２に示すように、サーバ２４は、サーバ制御部５４、通信部５６、表示部５８、操作部６０及びデータベース６２を備える。
【００７３】
サーバ制御部５４は、ＣＰＵ、メモリ、各種の入出力ポートを備えたコンピュータ回路で構成しており、プログラムの実行により火災監視に必要な各種の処理制御を行う。通信部７２はインターネット２２を経由して端末監視制御装置１０及び受信機１２との間で各種の信号の送受信を行う。
【００７４】
表示部５８はコンピュータのディスプレイであり、操作部６０はコンピュータのキーボード、マウス等の入力機器である。
【００７５】
データベース６２に、端末監視制御装置１０及び受信機１２を設置した火災報知システムの物件データが予め記憶されている。データベース６２に保存された物件データは、端末監視制御装置１０に接続されるアナログ感知器１６や中継器のアドレス、地区名、部署名、種別、回線番号、感度、蓄積時間、防排煙機器との連動関係等のデータが含まれている。
【００７６】
サーバ制御部５４は、火災報知システムにおける火災監視制御の中枢として機能し、次の制御を行う。
【００７７】
サーバ制御部５４は、インターネット２２を介して端末監視制御装置１０から送信されたアドレスが設定された火災信号を受信した場合、データベース６２の物件データを参照してアドレスに対応した地区名等の火災発生場所を示す火災地区情報を取得し、この火災地区情報を設定した火災警報信号を、インターネット２２を経由して受信機１２に送信する制御を行い、受信機１２から火災地区情報が特定された火災警報を出力させる。
【００７８】
また、サーバ制御部５４は、火災警報信号を送信した後に、インターネット２２を介して受信機１２から地区音響一時停止信号を受信した場合、地区音響停止信号を、インターネット２２を経由して端末監視制御装置１０に送信して鳴動中の地区音響装置を停止させ、所定時間後に、地区音響制御信号をインターネット２２を経由して端末監視制御装置１０に送信して地区音響装置を再鳴動させる制御を行う。
【００７９】
また、サーバ制御部５４は、火災警報信号を送信した後に、インターネット２２を介して受信機１２から火災断定信号を受信した場合、連動制御及び移報制御の制御信号を、インターネット２２を経由して端末監視制御装置１０に送信し、端末機器の連動制御や外部機器名に対する移報制御を行う。
【００８０】
また、サーバ制御部５４は、火災警報信号を送信した後に、インターネット２２を介して受信機１２から復旧信号を受信した場合、サーバ２４自身の火災制御処理を復旧させると共に、復旧信号を、インターネット２２を経由して端末監視制御装置１０に送信し、動作中の感知器や端末機器を復旧させる制御を行う。
【００８１】
また、サーバ制御部５４は、通常監視状態で、インターネット２２を介して端末監視制御装置１０から送信された障害信号を受信した場合、データベース６２に格納されている障害の原因や対処を示す障害情報を取得し、この障害情報が設定された障害信号を、インターネット２２を介して受信機１２に送信し、警報部４８から障害警報音を出力させると共に、表示部５０の障害代表灯を点滅させ、障害情報をディスプレイに表示させる制御を行う。
【００８２】
（火災報知システムの制御動作）
図１及び図２を参照して火災報知システムの動作を説明すると次のようになる。端末監視制御装置１０は伝送路１４に接続された例えばアナログ感知器１６の火災検出に基づく火災発報の有無を監視しており、アナログ感知器１６の火災発報を判別すると、火災発報したアナログ感知器１６のアドレスが設定された火災信号をサーバ２４に送信する。
【００８３】
サーバ２４は端末監視制御装置１０からの火災信号を受信すると、火災信号に設定されているアドレスによりデータベース６２の物件データを検索して火災発生場所を示す火災地区情報を取得し、この火災地区情報が設定された火災警報信号を受信機１２に送信する。サーバ２４からの火災警報信号を受信した受信機１２は、警報音と表示により火災警報を出力させる。
【００８４】
また、サーバ２４は端末監視制御装置１０から受信した火災信号に基づき、データベース６２の物件情報から取得した発報感知器のアドレスに対応した地区音響装置のアドレスを取得し、このアドレスが設定された地区音響制御信号を端末監視制御装置１０に送信する。
【００８５】
サーバ２４からの地区音響制御信号を受信した端末監視制御装置１０は、地区音響制御信号を伝送路１４に送信し、アドレスが一致した地区音響装置を鳴動させる。
【００８６】
受信機１２から出力された火災警報に対応し、防災管理者等は受信機１２の操作部５２に設けられている音響停止スイッチを操作することから、受信機１２は音響停止操作を判別し、音響警報を停止させる。
【００８７】
続いて、防災管理者等は火災現場に出向いて火災の有無を確認し、火災を確認した場合は、受信機１２の操作部５２に設けられている火災断定スイッチを操作する。このため受信機１２は、火災断定操作を判別して火災断定信号をサーバ２４に送信する。
【００８８】
受信機１２からの火災断定信号を受信したサーバ２４は、火災断定に基づき、火災発報に対応した端末機器のアドレスが設定された連動制御及び移報制御の制御信号を端末監視制御装置１０に送信する。端末監視制御装置１０はサーバ２４から連動制御及び移報制御の制御信号を受信すると、受信したアドレスが設定された連動制御信号を伝送路１４に送信し、アドレスが一致した中継器に接続している防火戸や防排煙機器を動作させると共に、外部に対し移報信号を出力させる。
【００８９】
その後、消防活動により火災が鎮火した場合、防災管理者等は、受信機１２の操作部５２に設けられている復旧スイッチを操作し。受信機１２は復旧操作を判別して復旧信号をサーバ２４に送信する。
【００９０】
受信機１２からの復旧信号を受信したサーバ２４は、自身の火災制御処理を復旧させると共に、復旧信号を端末監視制御装置１０に送信し、これを受信した端末監視制御装置１０は動作中の感知器や端末機器を復旧させ、火災発生前と同じ通常監視状態とする。
【００９１】
（火災報知システムのメリット）
このようなＲ型の火災報知システムによれば、オフィスビル等の監視対象施設には、端末監視制御装置１０と受信機１２が設置され、火災受信の制御処理機能は外部のサーバ２４に設けられており、サーバ２４に火災受信の制御処理機能を分散させたことで、監視対象施設に設置する設備機器を簡略化することができる。
【００９２】
また、監視対象施設に設置する設備機器を、端末監視制御装置１０と受信機１２に分けて設置しており、端末監視制御装置１０に伝送路１４を介して感知器や制御機器を配線接続するハードウェアを集約させ、受信機１２には警報、表示、操作といった利用者に対する入出力機能を集約させることで、端末監視制御装置と受信機を一体化していた従来の受信機に比べ、端末監視制御装置１０及び受信機１２の構成が簡単となり、監視対象施設に対するシステム機器の設置作業は、端末監視制御装置１０の設置と配線作業が主なものとなり、受信機１２については、端末監視制御装置１０との間の配線接続は不要で、インターネット２２を介してサーバ２４に接続できるようにすればよく、トータル的に設備の設置作業を容易とすることが可能となる。
【００９３】
また、サーバ２４に火災受信の制御処理機能を集約させたことで、感知器のアドレス、地区名、部署名、種別、回線番号、感度、蓄積時間、防排煙機器との連動関係等の物件データはサーバ２４に保存されて管理されており、施設の改修やテナントの入れ替わり等に伴い物件データを変更する場合、従来のように受信機の設置場所に出向いて物件データを更新する必要はなく、サーバ２４において物件データの更新が簡単にできる。
【００９４】
［携帯端末の操作画面］
図３は感知器発報試験に使用する携帯端末のログイン画面を示した説明図、図４は携帯端末のメニュー画面を示した説明図、図５は携帯端末の感知器試験管理画面を示した説明図、図６は携帯端末の感知器選択画面を示した説明図、図７は携帯端末の火災警報画面を示した説明図、図８は携帯端末の試験発報受信画面を示した説明図である。なお、感知器試験管理画面及び感知器選択画面は、試験操作画面に含まれる。
【００９５】
（ログイン）
図３に示すように、点検員が火災感知器の発報試験を行うためにサーバ２４にアクセスすると、ログイン画面７０が携帯端末３０に表示される。そこで、ログイン画面７０に対し所定のユーザＩＤ７２とパスワード７４を設定してログイン操作を行うと、サーバ２４の認証処理に基づき、図４に示すメニュー画面７６が表示される。
【００９６】
（試験感知器選択）
図４のメニュー画面７５は、点検７６、物件情報７７、履歴７８、障害情報８０といったメニュー釦を備えており、点検７４のメニュー釦を操作すると図５に示す感知器試験管理画面８２が表示される。
【００９７】
感知器試験管理画面８２には、アドレス選択８４、地区名選択８６及びマップ選択８８の選択釦が配置されており、例えば、アドレス選択８４を操作すると図６のアドレス選択画面９０に切り替わり、火災感知器のアドレス一覧９２が表示される。
【００９８】
アドレス一覧９２は、選択ラジオ釦、アドレス、種別及び試験結果の項目で構成される。試験対象として選択したい場合は、アドレス００２に示すように、選択ラジオ釦を操作すれば良い。また、アドレス００１は発報試験が完了した火災感知器であり、試験結果として「正常」が表示されている。
【００９９】
図６のアドレス選択画面では、試験対象として１台の火災感知器を選択しているが、例えば同じ階に設置されている複数の火災感知器をまとめて選択するようにしてもよい。
【０１００】
また、図５の感知器試験管理画面８２で地区名選択８６を操作した場合には、感知器設置場所の一覧が画面表示され、この一覧は、図６のアドレス一覧９２に設置場所を示す地区名が追加された画面となる。
【０１０１】
更に、図５の試験感知器選択画面８２でマップ選択８８を操作した場合には、感知器シンボルが表示された警戒区域の地図が例えば階別に分けて表示され、感知器シンボルを操作することで、試験対象とする感知器が選択される。
【０１０２】
また、試験対象とする感知器選択は、アドレス、地区名、マップ以外に、適宜の選択情報を画面表示して選択させるものを含む。
【０１０３】
（火災警報画面）
図７に示すように、火災警報画面９４は、火災マーク９６、「火災です」の火災表示９８、火災地区情報１００、「火事です  現場を確認してください  現場は火災でしたか？」のガイダンス表示１０２、現場確認に対する「はい」「いいえ」の操作釦１０４，１０６、及び警戒区域の全体図を表示させる地図釦１０８が表示されている。
【０１０４】
この火災警報画面９４は、受信機１２の表示部５０に設けられたディスプレイに表示されるものであるが、本実施形態では、感知器試験のために点検員２６が使用している携帯端末３０にも表示させる。
【０１０５】
（試験発報受信画面）
図８に示すように、試験発報受信画面１１０は、図７の火災警報画面９４と同様に、火災マーク９６、火災表示９８、火災地区情報１００を表示しているが、これに加えて、試験発報表示１１２を表示して試験発報による火災受信であることを示している。
【０１０６】
また、試験ガイダンス１１４として「感知器試験による火災発報です  試験結果を確認しましたか？」が表示され、確認釦１１６が配置されている。試験結果を確認した場合は確認釦１１６を操作すると、確認信号がサーバ２４に送信され、試験対象感知器に設定されている試験モードが解除される。また、確認釦１１６を操作すると図６のアドレス選択画面９０にリターンし、アドレス一覧９２の試験結果に「正常」が設定表示される。
【０１０７】
なお、図３乃至図８に示した携帯端末３０の操作画面は一例であり、必要に応じて適宜の操作画面とすることができる。
【０１０８】
［火災報知システムの感知器試験］
図９は火災報知システムの感知器試験に伴う動作を示したタイムチャートであり、図１及び図２を参照して説明すると、次のようになる。
【０１０９】
図９に示すように、火災報知システムの警戒区域に設置されたアナログ感知器１６の発報試験を行う場合には、ステップＳ１で点検員２６は携帯端末３０により図３に示したログイン画面７０を使用してサーバ２４に対するログイン操作を行い、このログインによるユーザＩＤとパスワードがサーバ２４に送信され、ログインに成功するとステップＳ２でサーバ２４から図４に示したメニュー画面７２が表示される。
【０１１０】
続いて、点検員２６はステップＳ４でメニュー画面７２から点検７４を選択すると、ステップＳ５で図５の試験感知器管理画面８２に切替り、例えば図６のアドレス選択画面９０のアドレス一覧９２を使用して試験対象とするアナログ感知器１６を選択すると、ステップＳ６で試験感知器通知信号がサーバ２４に送信され、ステップＳ７でサーバ２４は試験対象として通知されたアナログ感知器１６のアドレスに対し試験モードを設定する。
【０１１１】
このようにして試験発報の準備が整ったならば、点検員２６は試験治具２８を使用して試験対象として選択したアナログ感知器１６を試験発報させ、このためアナログ感知器１６はステップＳ８で自己のアドレスが設定された火災信号を端末監視制御装置１０に送信し、これを受信した端末監視制御装置１０はステップＳ９で感知器アドレスが設定された火災信号をサーバ２４に送信する。
【０１１２】
サーバ２４はステップＳ１０で端末監視制御装置１０からの火災信号を受信し、ステップＳ１１で試験モードが設定された試験対象のアナログ感知器１６からの火災信号であることを判別すると、ステップＳ１２に進んで試験受信処理を行い、携帯端末３０及び受信機１２に対し試験発報受信信号を送信し、ステップＳ１３で携帯端末３０に図８に示した試験発報受信画面１１０を試験結果として表示させ、受信機１２もステップＳ１４で、携帯端末３０と同様に、図８に示した試験発報受信画面１１０を試験結果として表示させる。
【０１１３】
一方、ステップＳ１１で端末監視制御装置１０からの火災信号に設定されている感知アドレスが、試験モードが設定されている感知器アドレスに該当しなかった場合は、真の火災による火災信号と判断して火災受信処理を行い、ステップＳ１５で受信機１２及び携帯端末３０に対し火災警報信号を送信し、ステップＳ１６で受信機１２に図７に示した火災警報画面９４を表示させると共に警報音により火災警報を出力させ、また、ステップＳ１７で携帯端末３０に、受信機１２と同様に、図７に示した火災警報画面９４を表示させることで、点検員２６に火災発生を知らせ、感知器発報試験を中断して火災への対処を行わせる。
【０１１４】
［Ｐ型の火災報知システム］
（火災報知システムの概要）
図１０は回線単位に火災を監視するＰ型の火災報知システムと感知器発報試験の概要を示した説明図、図１１は図１０の端末監視制御装置、受信機およびサーバの機能構成を示したブロック図である。
【０１１５】
図１０に示すように、本実施形態の火災報知システムは、インターネット２２に対しＰ型端末監視制御装置１２０がゲートウェイ装置１８を介して接続され、また、受信機１２がゲートウェイ装置２０を介して接続され、これにより端末監視制御装置１０と受信機１２がインターネット２２を介してサーバ２４と通信可能に接続されている。
【０１１６】
Ｐ型端末監視制御装置１２０からは複数の感知器回線１２４が引き出され、オンオフ感知器１２６が接続されている。なお、Ｐ型端末監視制御装置１２０からは図示していない複数の制御回線が引き出され、制御回線単位に端末機器として例えば地区音響装置が接続されている。
【０１１７】
図１１に示すように、Ｐ型端末監視制御装置１２０は、端末制御部１３０、通信部１３４を備え、複数の感知器回線１２４に対応して複数の回線受信部１３２が設けられ、また、図示していない複数の制御回線に対応して複数の回線制御部が設けられる。
【０１１８】
回線受信部１３２は、感知器回線１２４に接続されているオンオフ感知器１２６の何れかが火災を検出して発報し、感知器回線１２４に発報電流を流すことから、この発報電流を検出して火災信号を端末制御部１３０に出力する。
【０１１９】
端末制御部１３０は、回線受信部１３２から火災信号を受信すると回線アドレス（回線番号）が設定された火災信号をサーバ２４に送信し、所定の火災制御処理を行わせる。
【０１２０】
なお、図示していない回線制御部は、端末制御部１３０でサーバ２４から回線アドレスが設定された地区音響停止、連動制御、復旧等の信号を受信した場合、回線アドレスに対応した回線制御部に指示して音響停止、連動、又は復旧等の制御を行う。
【０１２１】
それ以外の構成及び機能は図１及び図２に示したＲ型の火災報知システムと基本的に同じになることから、同一符号を付して説明を省略する。
【０１２２】
（感知器発報試験の概要）
Ｐ型火災報知システムに設けたオンオフ感知器１２６の点検員２６による感知器発報試験は次のようにして行われる。点検員２６はオンオフ感知器１２６の設置場所に出向き、まず携帯端末３０を使用してサーバ２４にログインし、サーバ２４から試験操作画面を取得する。
【０１２３】
続いて、携帯端末３０の試験操作画面に表示された回線番号一覧の中から試験対象とするオンオフ感知器１２６が接続されている回線番号を選択すると、選択した回線番号が設定された試験回線通知信号がサーバ２４に送信され、サーバ２４は試験対象とした回線番号に対し試験モードを設定する。
【０１２４】
続いて、点検員２６は試験治具２８により試験対象とした感知器回線１２４に接続されているオンオフ感知器１２６に試験煙を流入させることで試験発報させる。試験治具２８により試験発報されたオンオフ感知器１２６は火災信号をＰ型端末監視制御装置１２０に送信し、Ｐ型端末監視制御装置１２０は火災信号を受信した感知器回線１２４の回線番号が設定された火災信号をサーバ２４に送信する。
【０１２５】
サーバ２４はＰ型端末監視制御装置１２０からの火災信号を受信すると、火災信号に設定されている回線番号と試験モードが設定されている回線番号とを比較し、試験モードが設定された回線番号に該当した場合は、試験発報受信信号を携帯端末３０に送信し、発報回線番号や地区名を含む試験発報受信画面を表示させる。これにより点検員２６はオンオフ感知器１２６の試験発報が正常に行われたことを確認できる。
【０１２６】
続いて、点検員２６が携帯端末３０で試験結果に対する確認操作を行うと、確認信号がサーバ２４に送信され、これを受けてサーバ２４はＰ型端末監視制御装置１２０に感知器復旧信号を送信し、発報状態にある感知器回線１２４に対する電源供給を一時的に遮断させることで、試験発報したオンオフ感知器１２６を復旧させる。
【０１２７】
これによりＰ型火災報知システムについても、サーバ２４及び受信機１２側に点検員が付く必要が無くなり、試験治具２８を用いて感知器試験を行う点検員１名のみで、感知器発報試験を効率よく進めることができる。
【０１２８】
［本発明の変形例］
上記の実施形態は、端末監視制御装置に火災感知器や発信機等のセンサ系の機器と、地区音響装置や防火戸等の制御系の機器を接続しているが、端末監視制御装置をセンサ系と制御系に分けて設置しても良い。
【０１２９】
また、上記の実施形態におけるインターネット、サーバ、データベースを含む構成は、クラウドコンピューティングとしても良い、クラウドコンピューティングは、ネットワーク、サーバ、ストレージ、アプリケーション、サービスなどの構成可能なコンピューティングリソースの共用プールに対して、便利かつオンデマンドにアクセスできる。
【０１３０】
また本発明は、その目的と利点を損なうことのない適宜の変形を含み、更に上記の実施形態に示した数値による限定は受けない。
【符号の説明】
【０１３１】
１０：端末監視制御装置
１２：受信機
１４：伝送路
１６：アナログ感知器
１８，２０：ゲートウェイ装置
２２：インターネット
２４：サーバ
２６：点検員
２８：試験治具
３０：携帯端末
３２：携帯電話端末
３４：携帯電話ネットワーク
３６：小局
３８，１１０：端末制御部
４２，４６，１３４：通信部
４４，１３０：受信機制御部
４８：警報部
５０：表示部
５２：操作部
５４：サーバ制御部
６２：データベース
７０：ログイン画面゜
７２：メニュー画面
８２：試験感知器管理画面
９０：アドレス選択画面
９２：アドレス一覧
９４：火災警報画面
１１０：試験発報受信画面
１２０：Ｐ型端末監視制御装置
１２４：感知器回線
１２６：オンオフ感知器
１３２：回線受信部
【図１】
2018112951.tif 000003
【図２】
2018112951.tif 000004
【図３】
2018112951.tif 000005
【図４】
2018112951.tif 000006
【図５】
2018112951.tif 000007
【図６】
2018112951.tif 000008
【図７】
2018112951.tif 000009
【図８】
2018112951.tif 000010
【図９】
2018112951.tif 000011
【図１０】
2018112951.tif 000012
【図１１】
2018112951.tif 000013